(57)【要約】【課題】室内外を換気できるとともに、戸当り部分の内部を簡単に清掃できる建具を提供すること。【解決手段】折戸１は、浴室と脱衣室との間の出入口に取り付けられる枠体１０と、枠体１０との間に隙間が設けられる障子２０とを備える。枠体１０の縦枠１３には、障子２０側に突出する突出部４１，４２が長手方向に沿って形成されている。突出部４１，４２には、突出部４１，４２の長手方向に沿って間隔をおいて取り付けられる固定部材５０が係合自在に取り付けられている。固定部材５０には、当接部材６０が着脱自在に取り付けられる。当接部材６０の先端側となる当接部６２は、閉じた状態の障子２０により押圧されて弾性変形し、障子２０に対して付勢した状態で当接している。【選択図】図５
2006037602.tif 000002
【特許請求の範囲】
【請求項１】
上枠、下枠、および左右の縦枠を枠組みして構成された枠体と、この枠体に対して開閉自在に取り付けられた障子とを備える建具であって、
前記枠体と閉じた状態の前記障子との間には、
前記枠体に設けられた複数の固定部と、
前記障子に直接的または間接的に当接し、前記複数の固定部に跨って着脱自在に取り付けられた当接部材とが設けられ、
前記複数の固定部間における、前記枠体と前記当接部材との間には、室内外を連通する連通経路が形成されていることを特徴とする建具。
【請求項２】
前記連通経路が屈曲していることを特徴とする請求項１に記載の建具。
【請求項３】
前記固定部は、前記枠体から内側に向かって突出する突出部と、この突出部に取り付けられる固定部材とを備え、
前記当接部材は、前記固定部材に着脱自在に取り付けられる嵌合片と、閉じた状態の障子に当接する当接部とを備え、
前記突出部と前記嵌合片とにより、前記屈曲した連通経路が形成されていることを特徴とする請求項２に記載の建具。
【請求項４】
前記突出部は、前記縦枠に設けられていることを特徴とする請求項３に記載の建具。
【請求項５】
前記当接部は、前記障子との間を密封するシール材であることを特徴とする請求項１〜請求項４のいずれかに記載の建具。
【請求項６】
前記当接部と前記障子とは、シール材を介して当接していることを特徴とする請求項１〜請求項４のいずれかに記載の建具。
【発明の詳細な説明】
【技術分野】
【０００１】
本発明は、建具に関し、特に、室内外を換気できるとともに、戸当り部分の内部を簡単に清掃できる建具に関する。
【背景技術】
【０００２】
従来、浴室と脱衣室との間の出入口には、浴室を換気するための換気機構を有する建具が取り付けられることがある。このような建具は、例えば、特許文献１に示すように、出入口に取り付けられる枠体と、この枠体に対して開閉自在に取り付けられる障子と、枠体の縦枠と一体的に形成されるとともに、障子の戸先部が当接する戸当り部とを備えている。そして、戸当り部には、浴室と脱衣室との間を連通する連通経路を構成する換気孔が形成されている。この換気孔により、浴室の換気を行うことができる。
【特許文献１】登録実用新案第２５６７４０１号公報
【発明の開示】
【発明が解決しようとする課題】
【０００３】
しかしながら、換気孔から戸当り部の内部に水が浸入した場合には、戸当り部と縦枠とが一体的に形成されて、戸当り部の内部が清掃し難いことから、この浸入した水が戸当り部内に残る可能性がある。なお、このような問題は、浴室と脱衣室との間の換気以外においても同様に発生する。
【０００４】
本発明の目的は、室内外を換気できるとともに、戸当り部分の内部を簡単に清掃できる建具を提供することにある。
【課題を解決するための手段】
【０００５】
本発明は、上枠、下枠、および左右の縦枠を枠組みして構成された枠体と、この枠体に対して開閉自在に取り付けられた障子とを備える建具であって、前記枠体と閉じた状態の前記障子との間には、前記枠体に設けられた複数の固定部と、前記障子に直接的または間接的に当接し、前記複数の固定部間に跨って着脱自在に取り付けられた当接部材とが設けられ、前記複数の固定部間における、前記枠体と前記当接部材との間には、内外を連通する連通経路が形成されていることを特徴とする。
【０００６】
本発明によれば、枠体に複数の固定部を設け、これらの固定部に跨る当接部材を着脱自在に設けたので、戸当り部分となる当接部材を取り外すことにより、戸当り部分の内部側となる、障子と枠体との隙間部分を簡単に清掃、点検できる。また、内外を連通する連通経路を形成したので、室内外の換気を行うことができる。
【０００７】
ここで、前記連通経路が屈曲していてもよい。この場合には、例えば、内側から連通経路に水が掛かったとしても、連通経路が屈曲していることにより、外側へ水が飛び出ることを防止できる。
【０００８】
ここで、前記固定部は、前記枠体から内側に向かって突出する突出部と、この突出部に取り付けられる固定部材とを備え、前記当接部材は、前記固定部材に着脱自在に取り付けられる嵌合片と、閉じた状態の障子に当接する当接部とを備え、前記突出部と前記嵌合片とにより、前記屈曲した連通経路が形成されていてもよい。この場合には、突出部を枠体と一体的に形成するとともに、突出部に固定部材を設け、この固定部材に当接部材の嵌合片を取り付け、当接部を障子に当接させることにより、屈曲した連通経路を簡単に形成することができる。
【０００９】
なお、前記突出部は、枠体を構成する上枠、下枠、および縦枠の少なくともいずれかに設けられていてもよい。例えば、前記突出部は、前記枠体の縦枠に設けられていてもよく、この際、障子の戸先側および吊元側の、両側の縦枠に設けられていてもよいし、いずれか一方の縦枠にのみ設けられていてもよい。
【００１０】
以上の建具において、前記当接部は、前記障子との間を密封するシール材とすることができる。このような構成によれば、障子との間をシール材で直接的に密封させることができる。
また、前記当接部と前記障子とは、シール材を介して当接している構成としてもよい。このような構成によれば、当接部と障子とをシール材を介して間接的に当接させることができる。
【発明の効果】
【００１１】
本発明の建具によれば、室内外を換気できるとともに、戸当り部分の内部を簡単に清掃できるという効果がある。
【発明を実施するための最良の形態】
【００１２】
［第１実施形態］
以下、本発明の第１実施形態に係る建具について図面を参照して説明する。
図１は、本実施形態に係る建具としての折戸１を示す正面図である。図２は、折戸１を示す横断面図である。図１，図２に示すように、折戸１は、浴室と脱衣室との間の出入口に取り付けられる枠体１０と、枠体１０内に開閉自在に取り付けられる障子２０とを備えている。障子２０を閉じた状態では、枠体１０の左右の縦枠１３と障子２０との間に隙間が設けられる。なお、この隙間部分の構造については、後で詳細に説明する。
【００１３】
枠体１０は、上枠１１と、下枠１２と、左右の縦枠１３とを四周枠組みして形成されている。枠１１〜１３は、それぞれアルミ押し出し形材により構成されている。障子２０は、隣接する２枚の障子２０Ａ，２０Ｂを備えている。図２に示すように、障子２０Ａ，２０Ｂは、連結框３０により連結されている。折戸１では、障子２０Ａ，２０Ｂが脱衣室側（図２中の上側）に突出するように折り畳まれ、障子２０の吊り元Ａ側（図２中の右側）に寄せられた状態で出入口が開放される。
【００１４】
次に、本発明の要部である枠体１０と障子２０との隙間部分について説明する。
図３，図４は、前記隙間部分の構成を説明するための斜視図であり、図３は、後述する当接部材６０が枠体１０から取り外された状態を、図４は、この当接部材６０が枠体１０側に取り付けられた状態をそれぞれ示している。図５は、枠体１０と障子２０の隙間部分を拡大して示す横断面図であり、固定部材５０を破線で示している。図３，図４に示すように、枠体１０の縦枠１３には、障子２０（図２）に向かって突出するとともに、上下方向に延びる第１突出部４１および第２突出部４２が一体的に形成されている。なお、図示を省略するが、突出部４１，４２は、左右の縦枠１３のそれぞれに形成されている。また、突出部４１，４２を縦枠１３に一体的に形成せずに別体としてもよい。
【００１５】
第１突出部４１は、その先端部が脱衣室側へ略垂直に曲折した曲折面４１Ａを備えている。第２突出部４２は、第１突出部４１より小さな突出寸法で形成され、その先端部が浴室側へ曲折した曲折面４２Ａを備えている。
【００１６】
また、折戸１は、突出部４１，４２に係合する固定部材５０と、固定部材５０に対して着脱自在に取り付けられる当接部材６０とを備えている。図３に示すように、縦枠１３には、その長手方向（図３中の上下方向）に沿って、固定部材５０が間隔をおいて複数取り付けられている。この固定部材５０は、例えば樹脂製の部材であり、第１係合部５１と、第２係合部５２と、第１係合部５１および第２係合部５２を連結する連結部５３とにより構成されている。なお、突出部４１，４２と、固定部材５０とが、本発明の固定部に対応している。
【００１７】
第１係合部５１は、縦枠１３に形成された第１突出部４１の内側面に係合する。第２係合部５２は、第１係合部５１より小さく突出するＵ字状に形成され、このＵ字部分の溝部５２Ａには第２突出部４２の先端部が挿入され係合する。連結部５３は、第１係合部５１および第２係合部５２の縦枠１３側の端部を連結し、第１係合部５１と第２係合部５２との間に溝部５３Ａが形成される。
【００１８】
図３，図４に示すように、当接部材６０は、枠体１０と障子２０との隙間部分を塞ぐ例えば樹脂製の部材である。当接部材６０は、第１係合部５１より低くなった第２係合部５２を覆うようにして取り付けられ、第１突出部４１の曲折面４１Ａと、第１係合部５１の表面５１Ａと、当接部材６０の表面６０Ａとが、略面一となっている。
【００１９】
図５に示すように、当接部材６０は、固定部材５０の溝部５３Ａに着脱自在に取り付けられる嵌合片６１と、嵌合片６１に設けられた当接部６２とを備えている。嵌合片６１は、溝部６３Ａが形成された基部６３と、基部６３から固定部材５０側へ突出し、溝部５３Ａに係合する係合爪６４とにより構成されている。
【００２０】
当接部６２は、溝部６３Ａに係合する係合部６５と、係合部６５から脱衣室側へ延びる先端部６６とを有するシール材により構成されている。係合部６５は、例えば、半硬質状の樹脂により構成されている。先端部６６は、係合部６５よりも軟質な樹脂等により構成され、閉じた状態の障子２０の戸先Ｂ側に押圧されて弾性変形し、障子２０の表面に沿って付勢した状態で当接している。なお、図５では図示を省略しているが、障子２０の吊り元Ａ（図２）側も、障子２０の戸先Ｂ側と略同じような構成を備えている。
【００２１】
また、図４に示すように、下枠１２の上面には、障子２０を閉じた際に、障子２０の下側に当接するシール材７０が取り付けられている。これにより、下枠１２の上を通って、浴室から脱衣室側へ漏水するのを防止している。
【００２２】
本実施形態によれば、以下のような効果がある。
(１)枠体１０と障子２０との間に、縦枠１３に形成された突出部４１，４２に固定部材５０を間隔をおいて配置したので、固定部材５０が取り付けられていない箇所（固定部材５０の間隔部分）には、図４，図５に示すように、突出部４１，４２と当接部材６０との間に浴室と脱衣室とを連通する、Ｕ字状に屈曲した連通経路が形成される。このため、この連通経路を通って矢印Ｘに示すように空気が流れることにより、浴室と脱衣室との間で換気を行うことができる。
【００２３】
(２)当接部材６０は、固定部材５０に対して着脱自在な構成としたので、固定部材５０から当接部材６０を取り外すことにより、戸当り部分の内部側となる、枠体１０と障子２０との隙間部分を簡単に清掃することができ、メンテナンスも容易である。なお、縦枠１３の突出部４１，４２から固定部材５０も取り外すことができるため、突出部４１，４２と固定部材５０との間についても簡単に清掃できる。
【００２４】
(３)前述したように、縦枠１３から障子２０側へ突出部４１，４２が突出し、浴室と脱衣室との連通経路が断面Ｕ字状に屈曲した複雑な形状となるため、連通経路となる隙間部分に水が強く掛かったとしても、脱衣室側への漏水を確実に防止できる。また、このようにＵ字状の連通経路であるため、折戸１では、隙間部分から浴室側が覗けないようになっている。
【００２５】
(４)枠体１０と障子２０との間に、連通経路を縦枠１３の長手方向に沿って延びるように形成したので、従来のように、例えば障子２０の下側に換気用のガラリ構造を設ける必要がない。このため、折戸１を製造するための部材点数や製造工程数等が減少し、コストダウンを図ることができるとともに、ガラリ構造の採用に伴うデザインの制約が無くなるため、障子２０のデザイン性が向上する。また、障子の下側にガラリ構造を設けた場合のように、浴室利用者の足下側等の局所的な冷感を感じることがないから、利用者が浴室を快適に利用できる。
【００２６】
(５)図５に示すように、当接部材６０は、固定部材５０によって突出部４１，４２に取り付けられ、その先端部６６が障子２０の戸先Ｂ側の表面に沿って当接している。また、下枠１２の上面には、前述したシール材７０が取り付けられている。このため、障子２０を閉じた際には、当接部材６０とシール材７０とによって、枠体１０と障子２０との隙間が塞がれるため、浴室から脱衣室側への漏水を防止できる。
【００２７】
(６)当接部材６０の先端部６６が、障子２０の戸先Ｂ側に押圧されて弾性変形し、障子２０の表面に沿って付勢した状態で当接するように構成したので、当接部材６０と障子２０とが密着するため、この部分からの漏水を確実に防止できる。
【００２８】
［第２実施形態］
次に、本発明の第２実施形態に係る建具について説明する。
図６は、本実施形態に係る建具としての引戸２を示す正面図である。図７は、引戸２を示す横断面図である。図６，図７に示すように、引戸２は、浴室と脱衣室との間の出入口に取り付けられた枠体１１０と、枠体１１０内に開閉自在に取り付けられた障子１２０とを備えている。障子１２０を閉じた状態では、枠体１１０と障子１２０との間に隙間が設けられる。
【００２９】
枠体１１０は、上枠１１１と、下枠１１２と、左右の縦枠１１３とを四周枠組みして形成されている。障子１２０は、浴室側から脱衣室側に向かって、第１障子１２０Ａ、第２障子１２０Ｂ、および第３障子１２０Ｃの３枚の障子を備えている。第１障子１２０Ａと第２障子１２０Ｂとが連結され、第２障子１２０Ｂと第３障子１２０Ｃとが連結されている。第１障子１２０Ａおよび第３障子１２０Ｃには、取っ手１３０が取り付けられている。引戸２では、利用者が浴室から脱衣室側へと出る際に、取っ手１３０を操作して第１障子１２０Ａを図７中の右方向に摺動させて、第１障子１２０Ａと第２障子１２０Ｂとが重なった状態になると、この重なった状態のまま第１障子１２０Ａと第２障子１２０Ｂとが共に図７中の右方向に摺動し、さらに、第１障子１２０Ａおよび第２障子１２０Ｂと第３障子１２０Ｃとが重なった状態になると、３枚の障子１２０Ａ〜１２０Ｃがすべて図７中の右方向に摺動する。これにより、浴室と脱衣室との間の出入りが可能となる。なお、脱衣室側から浴室へと入る際には、第３障子１２０Ｃを摺動させて、前述同様に行えばよい。
【００３０】
次に、枠体１１０の縦枠１１３と障子１２０との隙間部分について説明する。
図８，図９は、前記隙間部分の構成を説明するための斜視図であり、図８は、後述する当接部材１６０が枠体１１０から取り外された状態を、図９は、この当接部材１６０が枠体１１０に取り付けられた状態を示している。なお、図８，図９は、図７の右側の縦枠１１３近傍を示している。図８，図９に示すように、枠体１１０の縦枠１１３には、当該縦枠１１３の長手方向に沿って、障子１２０（図７）側へ突出する突出部１４１，１４２が形成されている。突出部１４１，１４２の内側には、縦枠１３の長手方向に沿って、間隔をおいて複数の固定部材１５０が取り付けられている。
【００３１】
図７に示すように、突出部１４１，１４２の内側には、突出部１４１，１４２との間に隙間を隔てるように当接部材１６０が取り付けられている。この当接部材１６０は、固定部材１５０（図８）に取り付けられている。この当接部材１６０は、固定部材１５０に着脱自在に取り付けられる嵌合片１６１と、嵌合片１６１の溝部溝１６１Ａに取り付けられ、障子１２０の端部側に当接する当接部としてのシール材１６２とを備えている。シール材１６２は、障子１２０の端部側により押圧されて弾性変形し、障子１２０に対して付勢した状態で当接している。なお、突出部１４１，１４２と固定部材１５０とが、本発明の固定部に対応している。
【００３２】
本実施形態によれば、枠体１１０と障子１２０との隙間部分に、縦枠１１３に形成された突出部１４１，１４２に固定部材１５０を間隔をおいて配置したので、固定部材１５０が取り付けられない箇所では、図７に示すように、突出部１４１，１４２と当接部材１６０との間に浴室と脱衣室とを連通する連通経路が形成される。このため、この連通経路を矢印Ｙに示すように空気が流れることにより、浴室と脱衣室との間で換気できる。
【００３３】
また、当接部材１６０は、固定部材１５０に対して着脱自在な構成としたので、固定部材１５０から当接部材１６０を取り外すことにより、戸当り部分の内部側となる、枠体１１０と障子１２０の隙間部分の清掃やメンテナンスが容易となる。なお、縦枠１１３の突出部１４１，１４２から固定部材１５０も取り外すことができるため、突出部１４１，１４２と固定部材１５０との間の清掃も簡単である。
【００３４】
また、本実施形態によれば、前記第１実施形態の(３)〜(６)と略同様の効果も奏することができる。
【００３５】
なお、本発明は、前記実施形態には限定されない。前記第１実施形態では、左右の縦枠１３に突出部４１，４２を形成し、突出部４１，４２に固定部材５０を取り付けたが、いずれか一方の縦枠１３のみに構成してもよい。同様に、第２実施形態においても、左右の縦枠１１３に突出部１４１，１４２を形成し、突出部１４１，１４２に固定部材１５０を取り付けたが、いずれか一方の縦枠１１３のみに構成してもよい。また、突出部４１，４２，１４１，１４２を、例えば上枠１１，１１１や下枠１２，１１２に形成してもよい。
【００３６】
また、前記第１実施形態では、建具として折戸１を採用したが、開き戸等としてもよい。前記第２実施形態では、建具として３枚の障子１２０Ａ〜１２０Ｃからなる引戸２を採用したが、障子１２０の枚数は特に限定されない。また、固定部材５０，１５０の個数や、取付間隔の寸法等は特に限定されず、適宜変更可能である。
【００３７】
また、前記各実施形態では、折戸１や引戸２を、浴室と脱衣室との間に取り付けたが、取り付ける箇所は、特に限定されない。また、前記各実施形態では、枠体１０，１１０側から障子２０，１２０に当接する当接部材６０，１６０を設けたが、これには限定されず、障子２０，１２０側から枠体１０，１１０側に当接させてもよい。また、当接部材６０，１６０と障子２０，１２０との間に、当該隙間を密閉するシール材を介在させて、これらを間接的に当接させてもよい。
【図面の簡単な説明】
【００３８】
【図１】本発明の第１実施形態に係る建具としての折戸を示す正面図である。
【図２】前記折戸を示す横断面図である。
【図３】第１実施形態において、本発明の要部である枠体と障子との隙間部分の構成を説明するための斜視図であり、枠体から当接部材が取り外された状態を示している。
【図４】第１実施形態において、前記隙間部分の構成を説明するための斜視図であり、前記枠体側に前記当接部材が取り付けられた状態を示している。
【図５】前記隙間部分を拡大して示す横断面図である。
【図６】本発明の第２実施形態に係る建具としての引戸を示す正面図である。
【図７】前記引戸を示す横断面図である。
【図８】第２実施形態において、本発明の要部である枠体と障子との隙間部分の構成を説明するための斜視図であり、枠体から当接部材が取り外された状態を示している。
【図９】第２実施形態において、前記隙間部分の構成を説明するための斜視図であり、前記枠体側に前記当接部材が取り付けられた状態を示している。
【符号の説明】
【００３９】
１      折戸（建具）
２      引戸（建具）
１０，１１０    枠体
１１，１１１    上枠
１２，１１２    下枠
１３，１１３    縦枠
２０，１２０    障子
４１，４２，１４１，１４２    突出部（固定部）
５０，１５０    固定部材（固定部）
６０，１６０    当接部材
６１，１６１    嵌合片
６２      当接部
１６２    シール材（当接部）
【図１】
2006037602.tif 000003
【図２】
2006037602.tif 000004
【図３】
2006037602.tif 000005
【図４】
2006037602.tif 000006
【図５】
2006037602.tif 000007
【図６】
2006037602.tif 000008
【図７】
2006037602.tif 000009
【図８】
2006037602.tif 000010
【図９】
2006037602.tif 000011